(57)【要約】      （修正有）【課題】使用者が代謝改善後に適切な運動をしているにも関わらず減量効果が表れない状態を検出可能な減量支援システム、プログラム、減量支援サーバー及び減量支援端末を提供する。【解決手段】使用者の体重を含む使用者情報を取得する使用者情報取得部と、使用者の生体ガスに含まれるアセトン濃度を測定するアセトン濃度測定部と、アセトン濃度情報を使用者情報と関連付けて記憶する記憶部と、アセトン濃度測定期間に測定されたアセトン濃度の推移データ群から得られるアセトン濃度の推移パターンを解析し、解析結果に基づいて使用者の代謝機能が改善していると評価した場合に、使用者情報として記憶されている体重に基づき使用者の体重変化を解析し、体重減少が所定の基準以下である場合には、使用者の減量目的の運動の内容及び使用者の摂取カロリーの少なくとも１つに問題があると評価する評価部と、を含む。【選択図】図７
2015204900.tif 000002
【特許請求の範囲】
【請求項１】
減量目的の運動を取り入れて減量を行う使用者を支援する減量支援システムであって、
前記使用者の体重を含む使用者情報を取得する使用者情報取得部と、
前記使用者の生体ガスに含まれるアセトン濃度を測定するアセトン濃度測定部と、
前記使用者が前記アセトン濃度を測定するために行うアセトン濃度測定用運動の運動期間及び運動終了後の所定期間を含むアセトン濃度測定期間中に前記アセトン濃度測定部で測定された前記アセトン濃度に関する情報であるアセトン濃度情報を前記使用者情報と関連付けて記憶する記憶部と、
前記アセトン濃度測定期間に測定された前記アセトン濃度の推移データ群から得られる前記アセトン濃度の推移パターンを解析し、解析結果に基づいて前記使用者の代謝機能が改善していると評価した場合に、前記使用者情報として記憶されている体重に基づき前記使用者の体重変化を解析し、体重減少が所定の基準以下である場合には、前記使用者の前記減量目的の運動の内容及び前記使用者の摂取カロリーの少なくとも１つに問題があると評価する評価部と、を含む減量支援システム。
【請求項２】
請求項１に記載の減量支援システムにおいて、
前記評価部は、
前記アセトン濃度測定期間における前記アセトン濃度の時間変化量が所定の基準以下である場合に、前記使用者の代謝機能が改善していると評価する減量支援システム。
【請求項３】
請求項１又は２に記載の減量支援システムにおいて、
前記使用者情報は、前記使用者の前記減量目的の運動の運動内容を評価するための運動内容評価情報及び前記使用者の摂取カロリーに関する摂取カロリー情報の少なくとも１つを含み、
前記評価部は、
前記体重減少が所定の基準以下である場合には、前記運動内容評価情報に基づき前記使用者の減量目的の運動が適切か否かを評価する処理、及び前記摂取カロリー情報に基づき前記使用者の摂取カロリーが適切か否かを評価する処理の少なくとも１つを行い、評価結果に基づき前記運動及び前記摂取カロリーのいずれに問題があるか判断する減量支援システム。
【請求項４】
請求項１乃至３のいずれかに記載の減量支援システムにおいて、
前記評価部による評価結果に関する情報を出力する出力部を含む、減量支援システム。
【請求項５】
請求項１乃至４のいずれかに記載の減量支援システムにおいて、
前記評価部は、
前記アセトン濃度測定期間における前記アセトン濃度の推移パターンが前記代謝機能の改善を示す状態が一定期間以上継続した場合に、前記使用者の代謝機能が改善していると評価する減量支援システム。
【請求項６】
請求項１乃至５のいずれかに記載の減量支援システムにおいて、
前記評価部は、
前記アセトン濃度測定用運動の開始から終了までにおける前記アセトン濃度の時間変化量が所定の基準以下である場合に、前記使用者の代謝機能が改善していると評価する減量支援システム。
【請求項７】
減量目的の運動を取り入れて減量を行う使用者を支援する減量支援サーバーであって、
使用者の体重を含む使用者情報と、
前記使用者が前記アセトン濃度を測定するために行うアセトン濃度測定用運動の運動期
間及び運動終了後の所定期間を含むアセトン濃度測定期間中に測定された前記アセトン濃度に関する情報であるアセトン濃度情報と、を関連付けて減量支援端末から受信する受信手段と、
前記アセトン濃度測定期間に測定された前記アセトン濃度の推移データ群から得られる前記アセトン濃度の推移パターンを解析し、解析結果に基づいて前記使用者の代謝機能が改善していると評価した場合に、前記使用者情報として記憶されている体重に基づき前記使用者の体重変化を解析し、体重減少が所定の基準以下である場合には、前記使用者の前記減量目的の運動の内容及び前記使用者の摂取カロリーの少なくとも１つに問題があると評価する評価部と、
前記評価部の評価結果に関する情報を前記減量支援端末に送信する送信部と、
を含む、減量支援サーバー。
【請求項８】
減量目的の運動を取り入れて減量を行う使用者を支援する減量支援端末であって、
使用者の体重を含む使用者情報を取得する使用者情報取得部と、
前記使用者の生体ガスに含まれるアセトン濃度を測定するアセトン濃度測定部と、
前記使用者が前記アセトン濃度を測定するために行うアセトン濃度測定用運動の運動期間及び運動終了後の所定期間を含むアセトン濃度測定期間中に前記アセトン濃度測定部で測定された前記アセトン濃度に関する情報であるアセトン濃度情報を、前記使用者情報と関連付けて減量支援サーバーに送信する送信部と、
前記減量支援サーバーによる評価結果に関する情報を受信する受信部と、
前記減量支援サーバーから受信した評価結果に関する情報を出力する出力部と、を含み、
前記出力部は、
前記使用者の代謝機能が改善していると評価した場合に、体重減少が所定の基準以下である場合には、前記使用者の前記減量目的の運動の内容及び前記使用者の摂取カロリーの少なくとも１つに問題があるとの評価を出力する減量支援端末。
【請求項９】
減量目的の運動を取り入れて減量を行う使用者を支援する減量支援装置であって、
前記使用者の体重を含む使用者情報を取得する使用者情報取得部と、
前記使用者の生体ガスに含まれるアセトン濃度を測定するアセトン濃度測定部と、
前記使用者が前記アセトン濃度を測定するために行うアセトン濃度測定用運動の運動期間及び運動終了後の所定期間を含むアセトン濃度測定期間中に前記アセトン濃度測定部で測定された前記アセトン濃度に関する情報であるアセトン濃度情報を前記使用者情報を関連付けて記憶する記憶部と、
前記アセトン濃度測定期間に測定された前記アセトン濃度の推移データ群から得られる前記アセトン濃度の推移パターンを解析し、解析結果に基づいて前記使用者の代謝機能が改善していると評価した場合に、前記使用者情報として記憶されている体重に基づき前記使用者の体重変化を解析し、体重減少が所定の基準以下である場合には、前記使用者の前記減量目的の運動の内容及び前記使用者の摂取カロリーの少なくとも１つに問題があると評価する評価部と、を含む減量支援装置。
【請求項１０】
減量目的の運動を取り入れて減量を行う使用者を支援する減量支援プログラムであって、
前記使用者がアセトン濃度を測定するために行うアセトン濃度測定用運動の運動期間及び運動終了後の所定期間を含むアセトン濃度測定期間中に測定された前記アセトン濃度に関する情報であるアセトン濃度情報と使用者の体重を含む使用者情報と関連付けて記憶する記憶部と、
前記アセトン濃度測定期間に測定された前記アセトン濃度の推移データ群から得られる前記アセトン濃度の推移パターンを解析し、解析結果に基づいて前記使用者の代謝機能が改善していると評価した場合に、前記使用者情報として記憶されている体重に基づき前記
使用者の体重変化を解析し、体重減少が所定の基準以下である場合には、前記使用者の前記減量目的の運動の内容及び前記使用者の摂取カロリーの少なくとも１つに問題があると評価する評価部と、してコンピューターを機能させるプログラム。
【発明の詳細な説明】
【技術分野】
【０００１】
本発明は、減量支援システム、減量支援サーバー、減量支援端末、減量支援装置、及び減量支援プログラムに関する。
【背景技術】
【０００２】
従来からユーザーの入力データに基づき、ユーザーの目標カロリー量から目標運動量及び食事量を提示する減量支援装置等が知られている。
【０００３】
特許文献１では、ユーザーが現在の体重と目標体重を入力すると、目標体重変化量と同量の脂肪を燃焼させるために必要な目標エネルギーを算出し、目標体重変化量を実現するために変更すべき運動習慣と、食習慣と、これらを変更した場合の体重変化量を提示する。
【０００４】
特許文献２では、サーバー装置が受信したユーザーの個人情報およびダイエット期間に対応する他のユーザーのデータをデータベースから抽出し、ユーザーの個人情報およびダイエット期間に応じて作成された推定式を用いて目標カロリーを算出することで、ユーザーごとに算出される目標カロリー量の信頼性をさらに向上させる。
【０００５】
提示する運動量は、運動消費カロリー量や運動強度に基づく。運動強度の管理方法としては、脈拍計測や、特許文献３に示される呼気アセトン濃度計測が提案されている。
【０００６】
運動強度について、非特許文献１においては、食事だけのダイエット群と、運動を加えたダイエット＋運動群を比較して、後者では有酸素代謝能力に相関するミトコンドリア密度や、電子伝達系の活性が増加するという報告がある。
【０００７】
適切な運動強度での有酸素運動を継続することで、糖代謝・脂質代謝状態を改善し、その結果体重が減少する。運動強度の管理方法としては脈拍計測や、特許文献１に示される呼気アセトン濃度計測が提案されている。
【先行技術文献】
【特許文献】
【０００８】
【特許文献１】特開２０１０−２６８８６４号公報
【特許文献２】特開２００６−２８５７０６号公報
【特許文献３】特開２０１１−１３４２２９号公報
【特許文献４】特開２０１０−２６８８６４号公報
【非特許文献】
【０００９】
【非特許文献１】Mitochondrial Capacity in Skeletal Muscle Is Not Stimulated by Weight Loss Despite Increases in Insulin Action and Decreases in Intramyocellular Lipid Content，DIABETES, VOL. 57, APRIL 2008, P987
【発明の概要】
【発明が解決しようとする課題】
【００１０】
ダイエット目的のユーザーの目標は体重減少である。体重の変動は食事、運動などの要因があるため、食事影響のみを抽出することは容易ではない。また、食事による摂取カロリー量は自己申告のため正確な管理が困難であった。
【００１１】
食事量を減らした場合、短期的には体重が減少するが体重減少が内臓脂肪減少に直接反映されるとは限らず、恒常性維持のため筋肉量、基礎代謝量が減少することで、かえって内臓脂肪蓄積しやすい状態になるという弊害が知られている。
【００１２】
一方、糖代謝・脂質代謝が改善した後に始めて運動で効率的に脂肪を使用できる体質になるため、運動が体重減少として反映されるまでには通常２ヶ月〜３ヶ月といわれている。従って、運動プログラムの開始後の初期段階においては、運動プログラムの継続効果を実感しにくい。このため、運動プログラムを継続する意欲が低下して、運動プログラムを継続できなくなるという課題がある。
【００１３】
本発明は、以上のような技術的課題に鑑みてなされたものである。本発明のいくつかの態様によれば、代謝改善後に適切な運動をしているにも関わらず減量効果が表れない状態を検出可能な減量支援システム、減量支援サーバー、減量支援端末、減量支援装置、及び減量支援プログラムを提供することができる。
【課題を解決するための手段】
【００１４】
本発明は前述の課題の少なくとも一部を解決するためになされたものであり、以下の態様又は適用例として実現することが可能である。
【００１５】
［適用例１］
本適用例に係る減量支援システムは、減量目的の運動を取り入れて減量を行う使用者を支援する減量支援システムであって、前記使用者の体重を含む使用者情報を取得する使用者情報取得部と、前記使用者の生体ガスに含まれるアセトン濃度を測定するアセトン濃度測定部と、前記使用者が、前記アセトン濃度を測定するために行うアセトン濃度測定用運動の運動期間及び運動終了後の所定期間を含むアセトン濃度測定期間中に前記アセトン濃度測定部で測定された前記アセトン濃度に関する情報であるアセトン濃度情報を前記使用者情報と関連付けて記憶する記憶部と、前記アセトン濃度測定期間に測定された前記アセトン濃度の推移データ群から得られる前記アセトン濃度の推移パターンを解析し、解析結果に基づいて前記使用者の代謝機能が改善していると評価した場合に、前記使用者情報として記憶されている体重に基づき前記使用者の体重変化を解析し、体重減少が所定の基準以下である場合には、前記使用者の前記減量目的の運動の内容及び前記使用者の摂取カロリーの少なくとも１つに問題があると評価する評価部と、を含む。
【００１６】
本適用例によれば、アセトン濃度測定期間におけるアセトン濃度の推移パターンに基づいて、使用者の代謝機能を評価し、代謝機能が改善していると評価した場合に、体重減少の状態を解析する。従って使用者の代謝機能が改善しているにもかかわらず減量効果が表れない状態を検出し、使用者に減量目的の運動の内容及び使用者の摂取カロリーの少なくとも１つに問題があることを指摘することが可能な減量支援システムを提供することができる。
【００１７】
［適用例２］
上記の減量支援システムにおいて、前記評価部は、前記アセトン濃度測定期間における前記アセトン濃度の時間変化量が所定の基準以下である場合に、前記使用者の代謝機能が改善していると評価してもよい。
【００１８】
本適用例によれば、アセトン濃度測定期間のアセトン濃度の時間変化量により、使用者の代謝機能の改善を適切に評価することができる。
【００１９】
［適用例３］
上記の減量支援システムにおいて、前記使用者情報は、前記使用者の前記減量目的の運動の運動内容を評価するための運動内容評価情報及び前記使用者の摂取カロリーに関する摂取カロリー情報の少なくとも１つを含み、前記評価部は、前記体重減少が所定の基準以下である場合には、前記運動内容評価情報に基づき前記使用者の減量目的の運動が適切か否かを評価する処理、及び前記摂取カロリー情報に基づき前記使用者の摂取カロリーが適切か否かを評価する処理の少なくとも１つを行い、評価結果に基づき前記運動及び前記摂取カロリーのいずれに問題があるか判断してもよい。
【００２０】
本適用例によれば、運動及び前記摂取カロリーのいずれに問題があるか判断して使用者に適切な改善策を指示することができる。
【００２１】
［適用例４］
上記の減量支援システムにおいて、前記評価部による評価結果に関する情報を出力する出力部を含んでもよい。
【００２２】
本適用例によれば、評価結果を出力できるので、代謝改善後に適切な運動をしているにも関わらず、体重減少がない場合に、減量目的の運動の及び摂取カロリーの少なくとも１つに問題があることを使用者にアドバイスすることができる。
【００２３】
［適用例５］
上記の減量支援システムにおいて、前記評価部は、前記アセトン濃度測定期間における前記アセトン濃度の推移パターンが前記代謝機能の改善を示す状態が一定期間以上継続した場合に、前記使用者の代謝機能が改善していると評価してもよい。
【００２４】
前記アセトン濃度測定期間におけるアセトン濃度の時間変化量が所定の基準以下である場合（例えばアセトン濃度の時間変化量がほとんどない場合等）は、代謝機能が改善していると評価できるが、使用者の体質等の関係で、代謝機能改善から体重減少の効果が表れるまでの期間には個人差がある。本適用例によれば、代謝機能改善から体重減少の効果が表れるまでの期間の個人差にかかわらず適用可能な減量支援システムを実現できる。
【００２５】
［適用例６］
上記の減量支援システムにおいて、前記評価部は、前記アセトン濃度測定用運動の開始から終了までにおける前記アセトン濃度の時間変化量が所定の基準以下である場合に、前記使用者の代謝機能が改善していると評価してもよい。
【００２６】
前記アセトン濃度測定用運動の開始から終了までのアセトン濃度の時間変化量が所定の基準以下である場合（例えばアセトン濃度の時間変化量がほとんどない場合等）でも、使用者の体質によっては、代謝機能が改善していると評価できる場合がある。本適用例によれば、このように使用者の代謝機能改善後のアセトン濃度の推移パターンの個人差にかかわらず適用可能な減量支援システムを実現できる。
【００２７】
［適用例７］
本適用例にかかる減量支援サーバーは、減量目的の運動を取り入れて減量を行う使用者を支援する減量支援サーバーであって、使用者の体重を含む使用者情報と、前記使用者が前記アセトン濃度を測定するために行うアセトン濃度測定用運動の運動期間及び運動終了後の所定期間を含むアセトン濃度測定期間中に測定された前記アセトン濃度に関する情報であるアセトン濃度情報と、を関連付けて減量支援端末から受信する受信手段と、前記アセトン濃度測定期間に測定された前記アセトン濃度の推移データ群から得られる前記アセトン濃度の推移パターンを解析し、解析結果に基づいて前記使用者の代謝機能が改善していると評価した場合に、前記使用者情報として記憶されている体重に基づき前記使用者の
体重変化を解析し、体重減少が所定の基準以下である場合には、前記使用者の前記減量目的の運動の内容及び前記使用者の摂取カロリーの少なくとも１つに問題があると評価する評価部と、前記評価部の評価結果に関する情報を前記減量支援端末に送信する送信部と、を含む。
【００２８】
本適用例によれば、アセトン濃度測定期間におけるアセトン濃度の推移パターンに基づいて、使用者の代謝機能を評価し、代謝機能が改善していると評価した場合に、体重減少の状態を解析する。従って使用者の代謝機能が改善しているにもかかわらず減量効果が表れない状態を検出し、使用者に減量目的の運動の内容及び使用者の摂取カロリーの少なくとも１つに問題があることを指摘することが可能な減量支援サーバーを提供することができる。
【００２９】
［適用例８］
本適用例にかかる減量支援端末は、減量目的の運動を取り入れて減量を行う使用者を支援する減量支援端末であって、使用者の体重を含む使用者情報を取得する使用者情報取得部と、前記使用者の生体ガスに含まれるアセトン濃度を測定するアセトン濃度測定部と、前記使用者が前記アセトン濃度を測定するために行うアセトン濃度測定用運動の運動期間及び運動終了後の所定期間を含むアセトン濃度測定期間中に前記アセトン濃度測定部で測定された前記アセトン濃度に関する情報であるアセトン濃度情報を、前記使用者情報と関連付けて減量支援サーバーに送信する送信部と、前記減量支援サーバーによる評価結果に関する情報を受信する受信部と、前記減量支援サーバーから受信した評価結果に関する情報を出力する出力部と、を含み、前記出力部は、前記使用者の代謝機能が改善していると評価した場合に、体重減少が所定の基準以下である場合には、前記使用者の前記減量目的の運動の内容及び前記使用者の摂取カロリーの少なくとも１つに問題があるとの評価を出力する。
【００３０】
本適用例によれば、アセトン濃度測定期間におけるアセトン濃度の推移パターンに基づいて、使用者の代謝機能を評価し、代謝機能が改善していると評価した場合に、体重減少の状態を解析する。従って使用者の代謝機能が改善しているにもかかわらず減量効果が表れない状態を検出し、使用者に減量目的の運動の内容及び使用者の摂取カロリーの少なくとも１つに問題があることを指摘することが可能な減量支援端末を提供することができる。
【００３１】
［適用例９］
本適用例にかかる減量支援装置は、減量目的の運動を取り入れて減量を行う使用者を支援する減量支援装置であって、前記使用者の体重を含む使用者情報を取得する使用者情報取得部と、前記使用者の生体ガスに含まれるアセトン濃度を測定するアセトン濃度測定部と、前記使用者が前記アセトン濃度を測定するために行うアセトン濃度測定用運動の運動期間及び運動終了後の所定期間を含むアセトン濃度測定期間中に前記アセトン濃度測定部で測定された前記アセトン濃度に関する情報であるアセトン濃度情報を前記使用者情報と関連付けて記憶する記憶部と、前記アセトン濃度測定期間に測定された前記アセトン濃度の推移データ群から得られる前記アセトン濃度の推移パターンを解析し、解析結果に基づいて前記使用者の代謝機能が改善していると評価した場合に、前記使用者情報として記憶されている体重に基づき前記使用者の体重変化を解析し、体重減少が所定の基準以下である場合には、前記使用者の前記減量目的の運動の内容及び前記使用者の摂取カロリーの少なくとも１つに問題があると評価する評価部と、を含む。
【００３２】
本適用例によれば、アセトン濃度測定期間におけるアセトン濃度の推移パターンに基づいて、使用者の代謝機能を評価し、代謝機能が改善していると評価した場合に、体重減少の状態を解析する。従って使用者の代謝機能が改善しているにもかかわらず減量効果が表
れない状態を検出し、使用者に減量目的の運動の内容及び使用者の摂取カロリーの少なくとも１つに問題があることを指摘することが可能な減量支援装置を提供することができる。
【００３３】
［適用例１０］
本適用例にかかる減量支援プログラムは、減量目的の運動を取り入れて減量を行う使用者を支援する減量支援プログラムであって、前記使用者がアセトン濃度を測定するために行うアセトン濃度測定用運動の運動期間及び運動終了後の所定期間を含むアセトン濃度測定期間中に測定された前記アセトン濃度に関する情報であるアセトン濃度情報と使用者の体重を含む使用者情報と関連付けて記憶する記憶部と、前記アセトン濃度測定期間に測定された前記アセトン濃度の推移データ群から得られる前記アセトン濃度の推移パターンを解析し、解析結果に基づいて前記使用者の代謝機能が改善していると評価した場合に、前記使用者情報として記憶されている体重に基づき前記使用者の体重変化を解析し、体重減少が所定の基準以下である場合には、前記使用者の前記減量目的の運動の内容及び前記使用者の摂取カロリーの少なくとも１つに問題があると評価する評価部と、してコンピューターを機能させる。
【００３４】
本適用例によれば、アセトン濃度測定期間におけるアセトン濃度の推移パターンに基づいて、使用者の代謝機能を評価し、代謝機能が改善していると評価した場合に、体重減少の状態を解析する。従って使用者の代謝機能が改善しているにもかかわらず減量効果が表れない状態を検出し、使用者に減量目的の運動の内容及び使用者の摂取カロリーの少なくとも１つに問題があることを指摘することが可能な減量支援プログラムを提供することができる。
【図面の簡単な説明】
【００３５】
【図１】本実施形態に係る減量支援システムの全体構成を示す機能ブロック図である。
【図２】代謝経路の概要を説明するための図。
【図３】アセトン濃度の時間的変化を模式的に示すグラフ。
【図４】アセトン濃度の推移パターンに応じた評価の例を示す図。
【図５】運動継続期間とアセトン濃度の時間的変化（アセトン濃度推移パターン）の関係を示した図。
【図６】運動強度と脈拍の脂肪燃焼に適したゾーンの関係を示す図。
【図７】減量支援システムの処理の流れの一例を示すフローチャート。
【図８】減量支援システムの処理の流れの変形例を示すフローチャート。
【図９】図９（Ａ）（Ｂ）は統計データを示す図。
【図１０】減量支援端末の構成例を示す図。
【図１１】本実施形態に係る減量支援装置４の機能ブロック図。
【図１２】減量支援装置の構成例を示す図。
【図１３】アセトン濃度測定部の構成例を示す図。
【発明を実施するための形態】
【００３６】
以下、本発明の好適な実施形態について図面を用いて詳細に説明する。用いる図面は説明の便宜上のものである。なお、以下に説明する実施形態は、特許請求の範囲に記載された本発明の内容を不当に限定するものではない。また以下で説明される構成の全てが本発明の必須構成要件であるとは限らない。
【００３７】
１．減量支援システム、減量支援プログラム、減量支援サーバー及び減量支援端末
１−１．全体構成
図１は、本実施形態に係る減量支援システム１の全体構成を示す機能ブロック図である
。図１に示される各機能ブロックの少なくとも一部は、不図示のＣＰＵ（Central Processing Unit）によって実行されるプログラムで実現されていてもよい。
【００３８】
本実施形態に係る減量支援システム１は、減量目的の運動を取り入れて減量を行う使用者を支援する減量支援システムであって、使用者の体重を含む使用者情報を取得する使用者情報取得部１０と、使用者の生体ガスに含まれるアセトン濃度を測定するアセトン濃度測定部２０と、前記使用者がアセトン濃度を測定するために行うアセトン濃度測定用運動の運動期間及び運動終了後の所定期間を含むアセトン濃度測定期間中に前記アセトン濃度測定部で測定された前記アセトン濃度に関する情報であるアセトン濃度情報を前記使用者情報と関連付けて記憶する記憶部３０と、アセトン濃度測定期間に測定された前記アセトン濃度の推移データ群から得られる前記アセトン濃度の推移パターンを解析し、解析結果に基づいて前記使用者の代謝機能が改善していると評価した場合に、前記使用者情報として記憶されている体重に基づき前記使用者の体重変化を解析し、体重減少が所定の基準以下である場合には、前記使用者の前記減量目的の運動の内容及び前記使用者の摂取カロリーの少なくとも１つに問題があると評価する評価部５０と、を含む。
【００３９】
図１に示される例では、減量支援システム１は、減量支援サーバー２と減量支援端末３とを含んで構成されている。減量支援端末３は、例えば、使用者に装着されて用いられる。減量支援サーバー２と減量支援端末３とは、通信回線５を介して通信可能に構成されている。通信回線５としては、種々の公知の無線通信回線や有線通信回線などを採用できる。
【００４０】
減量支援サーバー２は、使用者情報取得部１０と、記憶部３０と、評価部５０とを含んで構成されていてもよい。また、減量支援サーバー２は、通信回線５を介して減量支援端末３に種々の情報を送信する送信部２１０と、通信回線５を介して減量支援端末３から種々の情報を受信する受信部２２０とを含んで構成されていてもよい。
【００４１】
また減量支援端末３は、アセトン濃度測定部２０と、脈拍測定部１２０とを含んで構成されていてもよい。また、減量支援端末３は、通信回線５を介して減量支援サーバー２に種々の情報を送信する送信部３１０と、通信回線５を介して減量支援サーバー２から種々の情報を受信する受信部３２０とを含んで構成されていてもよい。また、減量支援端末３は、使用者による操作などによって情報の入力を受け付ける入力部１４０を含んで構成されていてもよい。入力部１４０は、例えば、タッチパネル、ボタン、キーボードなど、種々の公知の入力装置を含んで構成されていてもよい。
【００４２】
前記アセトン濃度の推移パターンとはアセトン濃度の時間的な変化のパターンである。運動内容とは、例えば、運動強度、運動時間、運動負荷、運動時の身体活動量などである。身体活動量は、例えば、身体活動の強度×身体活動の実施時間に相当する量である。身体活動量を表す単位としては、例えば、［メッツ・時］などが用いられる。
【００４３】
アセトン濃度測定部２０は、使用者の生体ガスに含まれるアセトン濃度を測定する。生体ガスは、使用者の皮膚から採取される皮膚ガス、使用者の鼻腔から採取される呼気、及び、使用者の口腔から採取される呼気の少なくともいずれかであってもよい。生体ガスが皮膚ガスである場合には、アセトン濃度測定部２０を使用者に装着する場所の自由度が大きい。生体ガスが鼻腔から採取される呼気である場合には、連続した生体ガスの測定が容易となる。生体ガスが口腔から採取される呼気である場合には、生体ガスの採取が容易であり、採取条件の安定性が高い。また、生体ガスに含まれるアセトン濃度の測定は、非侵襲で行うことができる。本実施形態においては、アセトン濃度測定部２０は、皮膚ガス中に含まれるアセトン濃度を測定する。なお、アセトン濃度測定部２０の構成例については、「３．アセトン濃度測定部の構成例」の項で詳述される。
【００４４】
記憶部３０は、アセトン濃度測定部２０で測定されるアセトン濃度に関する情報であるアセトン濃度情報を、使用者情報と関連付けて記憶する。記憶部３０は、例えば、アセトン濃度測定部２０で測定されるアセトン濃度に関する情報を時刻順に記憶してもよい。また例えば、記憶部３０は、アセトン濃度測定部２０で測定されるアセトン濃度に関する情報と順序を示す情報とを対にして記憶してもよい。また例えば、記憶部３０は、アセトン濃度測定部２０で測定されるアセトン濃度に関する情報と、不図示の計時部が計時した時刻情報とを対にして記憶してもよい。
【００４５】
また記憶部３０は、使用者情報として体重以外にも、使用者の運動強度情報（減量目的の運動時の脈拍データ等の情報）や、使用者の属性情報（使用者の性別、体重、年齢、活動レベル等の情報）を記憶してもよい。
【００４６】
記憶部３０としては、ＲＡＭ（Random Access Memory）、フラッシュメモリー、ハードディスクなど、種々の公知の書き換え可能な記憶装置又は記憶媒体を採用できる。
【００４７】
記憶部３０に記憶されるアセトン濃度情報は、例えば、アセトン濃度測定部２０で生成され、送信部３１０、通信回線５及び受信部２２０を介して記憶部３０に転送されて記憶部３０に記憶されてもよい。なお、図１に示される例では、記憶部３０は減量支援サーバー２に設けられているが、減量支援端末３に設けられていてもよい。
【００４８】
また評価部５０は、アセトン濃度測定期間における前記アセトン濃度の時間変化量が所定の基準以下である場合に、前記使用者の代謝機能が改善していると評価してもよい。例えば、評価部５０は、アセトン測定用の運動の開始前のアセトン濃度情報を第１推移データ群として、アセトン測定用の運動の開始後から終了前までのアセトン濃度情報を第２推移データ群として、アセトン測定用の運動の終了後のアセトン濃度情報を第３推移データ群として、第２推移データ群及び第３推移データ群から得られるアセトン濃度の時間変化量が所定の基準以下である場合に、使用者の代謝機能が改善していると評価してもよい。
【００４９】
使用者情報は、使用者の減量目的の運動の運動内容を評価するための運動内容評価情報及び使用者の摂取カロリーに関する摂取カロリー情報の少なくとも１つを含み、評価部５０は、体重減少が所定の基準以下である場合には、運動内容評価情報に基づき使用者の減量目的の運動が適切か否かを評価する処理、及び摂取カロリー情報に基づき使用者の摂取カロリーが適切か否かを評価する処理の少なくとも１つを行い、評価結果に基づき運動及び摂取カロリーのいずれに問題があるか判断してもよい。
【００５０】
出力部６０は、評価部５０による評価結果に関する情報を出力する。
【００５１】
出力部６０は、液晶表示装置、電気泳動表示装置、発光ダイオードなどの種々の公知の表示装置を含んで構成されていてもよい。また、出力部６０は、スピーカーなどの種々の公知の音声出力装置を含んで構成されていてもよい。また、出力部６０は、減量支援端末３を振動させる種々の公知の振動装置を含んで構成されていてもよい。
【００５２】
また評価部５０は、アセトン濃度測定期間におけるアセトン濃度の推移パターンが代謝機能の改善を示す状態が一定期間以上継続した場合に、前記使用者の代謝機能が改善していると評価してもよい。
【００５３】
また評価部５０は、アセトン濃度測定用運動の開始から終了までにおけるアセトン濃度の時間変化量が所定の基準以下である場合に、使用者の代謝機能が改善していると評価してもよい。
【００５４】
また評価部５０は、アセトン濃度測定用運動の開始前のアセトン濃度情報を第１推移データ群として、アセトン濃度測定用運動の開始後から終了前までのアセトン濃度情報を第２推移データ群として、アセトン濃度測定用運動の終了後の前記アセトン濃度情報を第３推移データ群として、第２推移データ群から得られるアセトン濃度の時間変化量が所定の基準以下である場合に、使用者の代謝機能が改善していると評価してもよい。
【００５５】
図１に示す減量支援サーバー２の受信部２２０は、使用者の体重を含む使用者情報と、アセトン濃度を測定するためのアセトン濃度測定用運動の運動期間及び運動終了後の所定期間を含むアセトン濃度測定期間中に測定されたアセトン濃度に関する情報であるアセトン濃度情報とを関連付けて減量支援端末３から受信する。減量支援サーバー２の評価部５０は、アセトン濃度測定期間に測定されたアセトン濃度の推移データ群から得られるアセトン濃度の推移パターンを解析し、解析結果に基づいて使用者の代謝機能が改善していると評価した場合に、使用者情報として記憶されている体重に基づき前記使用者の体重変化を解析し、体重減少が所定の基準以下である場合には、使用者の減量目的の運動の内容及び使用者の摂取カロリーの少なくとも１つに問題があると評価する。減量支援サーバー２の送信部２１０は、評価部５０の評価結果に関する情報を前記減量支援端末３に送信する。
【００５６】
図１に示す減量支援端末３の入力部１４０は使用者の体重を含む使用者情報を取得する使用者情報取得部として機能する。減量支援端末３のアセトン濃度測定部２０は、使用者の生体ガスに含まれるアセトン濃度を測定する。減量支援端末３の送信部３１０はアセトン濃度を測定するためのアセトン濃度測定用運動の運動期間及び運動終了後の所定期間を含むアセトン濃度測定期間中にアセトン濃度測定部２０で測定されたアセトン濃度に関する情報であるアセトン濃度情報を、使用者情報と関連付けて減量支援サーバー２に送信する。減量支援端末３の受信部３２０は減量支援サーバー２による評価結果に関する情報を受信する。減量支援端末３の出力部６０は、減量支援サーバー２から受信した評価結果に関する情報を出力するものであり、使用者の代謝機能が改善していると評価した場合に体重減少が所定の基準以下である場合には、前記使用者の前記減量目的の運動の内容及び前記使用者の摂取カロリーの少なくとも１つに問題があるとの評価を出力する。
【００５７】
本実施形態においては、出力部６０は、送信部２１０、通信回線５及び受信部３２０を介して受信した情報に基づいて、評価部５０の評価結果に関する情報を出力する。
【００５８】
上述の減量支援システム１の少なくとも一部は、不図示のＣＰＵ（Central Processing
Unit）によって実行される減量支援プログラムで実現されていてもよい。減量支援プログラムは、アセトン濃度を測定するためのアセトン濃度測定用運動の運動期間及び運動終了後の所定期間を含むアセトン濃度測定期間中に測定された前記アセトン濃度に関する情報であるアセトン濃度情報を使用者の体重を含む使用者情報と関連付けて記憶する記憶部３０と、アセトン濃度測定期間に測定されたアセトン濃度の推移データ群から得られるアセトン濃度の推移パターンを解析し、解析結果に基づいて使用者の代謝機能が改善していると評価した場合に、使用者情報として記憶されている体重に基づき使用者の体重変化を解析し、体重減少が所定の基準以下である場合には、使用者の前記減量目的の運動の内容及び前記使用者の摂取カロリーの少なくとも１つに問題があると評価する評価部５０と、として不図示のＣＰＵ（コンピューター）を機能させる。
【００５９】
なお、上述の減量支援システム１に含まれる各構成要素は、それぞれの目的を達せされる範囲で、上述の減量支援プログラムとして実現されていてもよい。
【００６０】
１−２．評価の具体例
継続的な運動（減量目的の運動の一例）によって代謝機能が改善する場合には、まず糖代謝機能が改善し、次に脂質代謝機能が改善し、その後に脂肪量が減少すると考えられている。したがって、体重や体組成の改善に先立ち、代謝機能が改善すると考えられる。
【００６１】
図２は、代謝経路の概要を説明するための図である。
【００６２】
安静時（運動開始前）においては、脂肪酸をエネルギー基質とする経路（図２における経路（１））が支配的な代謝経路となり、アセト酢酸をエネルギー基質とする経路（図２における経路（３））も使われる。
【００６３】
運動開始後の初期においては、脂肪酸をエネルギー基質とする経路（図２における経路（１））、血液中のグルコースをエネルギー基質とする経路（図２における経路（２））及び筋グリコーゲンをエネルギー基質とする経路（図２における経路（５））が支配的な代謝経路となる。血液中のグルコースの量や筋グリコーゲンが不足してくると、アセト酢酸をエネルギー基質とする経路（図２における経路（３））、肝グリコーゲンをエネルギー基質とする経路（図２における経路（４））で補うようになる。
【００６４】
脂肪酸を筋細胞に直接取り込む（図２における経路（１））能力には限界があり、脂肪酸の一部は肝臓でアセト酢酸などのケトン体に分解される。血液中のアセト酢酸の一部は自然分解されてアセトンが生成される。血液中のアセトンは体内では利用されず、ガス交換によって肺や皮膚から体外に拡散する。
【００６５】
運動終了後においては、運動で蓄積した乳酸や、タンパク質を分解して生じたアミノ酸を炭素源として、脂肪酸からアセト酢酸を生成する際に生じるＡＴＰ（アデノシン三リン酸）を用いて、肝臓でグルコースを再生する糖新生が行われる（図２における経路（６））。運動終了後においては、筋細胞においてアセト酢酸の需要がないので、アセト酢酸はアセトンに分解される。
【００６６】
したがって、使用者の生体ガスに含まれるアセトン濃度の推移パターンを解析することによって、代謝経路の利用割合を推定することができるので、使用者の代謝機能を評価することができる。
【００６７】
図３は、アセトン濃度の時間的変化を模式的に示すグラフである。図３の横軸は時間、縦軸はアセトン濃度を表す。
【００６８】
図３に示される例は、時刻ｔ０から時刻ｔ２までの間に使用者が運動（アセトン濃度測定用運動）を行っている場合のアセトン濃度の時間的変化の例である。すなわち、時刻ｔ０より前は第１推移データ群、時刻ｔ０から時刻ｔ２までは第２推移データ群、時刻ｔ２より後は第３推移データ群に相当する。
【００６９】
時刻ｔ１は、運動の開始後からアセトン濃度の時間変化が下降から上昇へと転ずるタイミングである。時刻ｔ３は、アセトン濃度の時間変化が運動の終了直後よりも小さくなるように変化するタイミングである。また時刻ｔ０より前の期間を期間Ｚ、時刻ｔ０から時刻ｔ１までの期間を期間Ａ、時刻ｔ１から時刻ｔ２までの期間を期間Ｂ、時刻ｔ２から時刻ｔ３までの期間を期間Ｃ、時刻ｔ３より後の期間を期間Ｄとする。
【００７０】
使用者が運動を開始すると、運動開始前に比べて筋細胞でのＡＴＰ需要が急増するので、ＡＴＰ供給速度が速い筋グリコーゲンと血液中のグルコースが優先して使用される。筋グリコーゲンと血液中のグルコースの供給能力が不足すると、ＡＴＰ供給速度が比較的速い血液中のアセト酢酸が使用される。したがって、期間Ａにおいては、血液中のアセト酢
酸が減るので、生体ガスに含まれるアセトン濃度は期間Ｚ（運動開始前）に比べて低下していく。期間Ａの長さは、運動強度にもよるが、典型的には１０〜１５分程度である。
【００７１】
さらに運動を継続すると、エネルギー生成効率が高い、中性脂肪から生成された脂肪酸（遊離脂肪酸）を優先的に使用するように変化していく。血液中への脂肪酸の供給量が増えるので、アセト酢酸の供給量も増える。したがって、期間Ｂにおいては、生体ガスに含まれるアセトン濃度は、上昇していく。
【００７２】
使用者が運動を終了すると、乳酸やアミノ酸を用いた糖新生によってグルコースの再生が起こり、運動時に消費した筋グリコーゲンの再生に使用される。肝臓で糖新生を行う際には、アセト酢酸が生成される。運動終了後（安静時）においては、筋細胞においてアセト酢酸の需要がないので、アセト酢酸はアセトンに分解されて放出される。したがって、期間Ｃにおいては、生体ガスに含まれるアセトン濃度は、上昇していく。
【００７３】
筋グリコーゲンがある程度まで回復した後には、糖新生によって運動時に消費した血液中のグルコースや肝グリコーゲンの濃度が回復する。したがって、期間Ｄにおいては、生体ガスに含まれるアセトン濃度は、多くの場合には期間Ｃよりも緩やかに、上昇していく。
【００７４】
使用者の脂質代謝機能が高いほど、脂肪酸を効果的に使えるので、血液中のグルコースや筋グリコーゲンを消費せずに運動を行うことができる。したがって、使用者の脂質代謝機能が高いほど、アセトン濃度の時間的変化は小さくなる（図３のアセトン濃度の時間的な挙動が平坦になる）傾向がある。
【００７５】
以上の考察を基に、以下では、アセトン濃度の時間的変化の模式的な例と代謝機能の評価方法の具体例について説明するが、代謝機能の評価方法はこれに限られるものではない。
【００７６】
図４は、アセトン濃度の推移パターンに応じた評価の例を示す表である。図４に示される例では、評価結果としての「指数」が大きいほど代謝機能が優れている評価としている。図４に示される例では、評価結果を４段階で表現しているが、４段階に限られるものではない。
【００７７】
図４に示される例では、期間Ａ、期間Ｂ、期間Ｃ及び期間Ｄのアセトン濃度の推移パターン（アセトン濃度の時間あたりの変化量；横軸を時間、縦軸をアセトン濃度とした場合の傾き）の組み合わせに基づいて、代謝能力の評価を行っている。
【００７８】
本実施形態においては、評価部５０は、第２推移データ群から得られるアセトン濃度の、運動の開始後からアセトン濃度の時間変化が下降から上昇へと転ずるタイミングまでの期間（期間Ａ）における時間あたりの変化量に基づいて、評価を行ってもよい。より具体的には、期間Ａにおける時間あたりの変化量が小さくなるほど、使用者の代謝機能は高いものと評価できる。また例えば、期間Ｚにおける時刻ｔ０から所定時間を遡った期間におけるアセトン濃度の平均値を基準として、期間Ａにおけるアセトン濃度の時間あたりの変化量を算出してもよい。
【００７９】
運動の開始後からアセトン濃度の時間変化が下降から上昇へと転ずるタイミングまでの期間（期間Ａ）におけるアセトン濃度の挙動は、糖代謝機能に関連していると考えられる。本実施形態によれば、糖、脂質代謝機能の改善度合いを評価できる。
【００８０】
本実施形態においては、評価部５０は、第３推移データ群から得られるアセトン濃度の
、アセトン濃度の時間変化が運動の終了直後よりも小さくなるように変化するタイミングより後の期間（期間Ｄ）における時間あたりの変化量に基づいて、評価を行ってもよい。より具体的には、期間Ｄにおける時間あたりの変化量が小さくなるほど、使用者の代謝機能は高いものと評価できる。
【００８１】
アセトン濃度の時間変化が運動の終了直後よりも小さくなるように変化するタイミングより後の期間におけるアセトン濃度の挙動は、糖代謝機能に関連していると考えられる。本実施形態によれば、糖、脂質代謝機能の改善度合いを評価できる。
【００８２】
本実施形態においては、評価部５０は、第３推移データ群から得られるアセトン濃度の、運動の終了後からアセトン濃度の時間変化が運動の終了直後よりも小さくなるように変化するタイミングまでの期間（期間Ｃ）における時間あたりの変化量に基づいて、評価を行ってもよい。より具体的には、期間Ｃにおける時間あたりの変化量が小さくなるほど、使用者の代謝機能は高いものと評価できる。
【００８３】
運動の終了後からアセトン濃度の時間変化が運動の終了直後よりも小さくなるように変化するタイミングまでの期間におけるアセトン濃度の挙動は、糖代謝機能に関連していると考えられる。本実施形態によれば、糖、脂質代謝機能の改善度合いを評価できる。
【００８４】
本実施形態においては、評価部５０は、第２推移データ群から得られるアセトン濃度の、アセトン濃度の時間変化が下降から上昇へと転ずるタイミングから運動の終了までの期間（期間Ｂ）における時間あたりの変化量に基づいて、評価を行ってもよい。より具体的には、期間Ｂにおける時間あたりの変化量が小さくなるほど、使用者の代謝機能は高いものと評価できる。
【００８５】
アセトン濃度の時間変化が下降から上昇へと転ずるタイミングから運動の終了までの期間（期間Ｂ）におけるアセトン濃度の挙動は、糖代謝機能に関連していると考えられる。本実施形態によれば、糖、脂質代謝機能の改善度合いを評価できる。
【００８６】
１−３．本実施の形態の減量プログラム
本実施の形態では、使用者は減量目的の運動を取り入れた減量プログラムを実行する。そして減量支援システム１は、減量プログラム実行中の使用者の身体測定情報、減量目的の運動強度の情報、摂取カロリー情報などを取得して、減量プログラムの効果を評価し、使用者に運動の継続や運動内容などの改善や食事で摂取するカロリーの見直し等のアドバイスを行うものである。
【００８７】
減量プログラム実行中の使用者の身体測定情報として、使用者の生体ガスに含まれるアセトン濃度と体重を取得する。アセトン濃度は、「１−２．評価の具体例」で述べたように、使用者にアセトン測定用の運動を行わせ、アセトン濃度測定用運動の運動期間及び運動終了後の所定期間を含む測定期間中に前記アセトン濃度測定部で測定されたアセトン濃度を取得する。減量支援システム１では、アセトン濃度測定用運動におけるアセトン濃度の推移パターンにより使用者の代謝機能の改善の判断を行う。
【００８８】
また減量支援システム１では、減量プログラム実施期間中に所定のサイクルで測定した体重を取得し、体重減少の有無を判断し、減量プログラムの効果を評価する。
【００８９】
体重の計測は、毎日でなくてもよいが、計測時間は揃えることが望ましい。減量支援システム１の装置に体重計測機能を持たせて測定してもよいし、使用者が自分で測定した体重をシステムに入力する構成でもよい。
【００９０】
また減量支援システム１では、使用者が減量目的で行っている運動が適切か否か判断するために減量目的の運動強度の情報を取得する。代謝機能が改善しているにも関わらす体重減少がない場合には、減量目的の運動の運動強度が足りない等の原因が考えられるからである。減量支援システム１では、使用者の減量目的の運動強度の情報に基づき、運動強度が不足していないかを判断し、不足していると判断した場合には、使用者に運動強度の改善を指示する。使用者の減量目的の運動強度の情報としては、例えば使用者が減量目的の運動を行っている最中に測定した脈拍等でもよい。使用者が減量目的の運動を行っている最中に測定した脈拍が所定の値以下であれば、当該運動の運動強度が足りないと判断することができる。
【００９１】
減量支援システム１の装置に脈拍計（図１の脈拍測定部１２０）を備えて測定してもよいし、別の機器で測定したものをシステムに入力する構成でもよい。
【００９２】
また使用者の減量目的の運動の運動強度の情報としては、例えば使用者が減量目的の運動を行う際に運動装置に設定した運動レベルの情報（図１２に示すトレッドミル等の運動装置で指定する運動強度を左右するパラメータ（傾斜や速度））でもよい。運動レベルが所定の基準に照らして低い場合には当該運動の運動強度が足りないと判断することができる。
【００９３】
なお減量目的の運動はアセトン測定用の運動とは異なるものであり、減量目的の運動中にはアセトン濃度の測定は行わない。減量目的の運動は、使用者が運動メニューを考えてもよいし、減量支援システム１が運動メニューを提供してもよい。
【００９４】
また減量支援システム１では、使用者が減量目的で行っている運動が適切か否か判断するために使用者の食事による摂取カロリーの情報を取得してもよい。使用者の代謝機能が改善しているにも関わらす体重減少がない場合には、食事によるカロリーの取りすぎ等の原因が考えられるからである。減量支援システム１では、食事による摂取カロリーの情報に基づき、摂取カロリーが摂取過剰ではないかを判断し、摂取過剰であると判断した場合には、使用者に食事内容の改善を指示してもよい。
【００９５】
１−４．減量プログラムとアセトン濃度推移パターン
図５は、減量目的の運動を３か月間継続した場合の運動継続期間とアセトン濃度の時間的変化（アセトン濃度推移パターン）の関係を示した図である。
【００９６】
運動前〜運動中〜運動後のアセトン濃度推移パターンは、運動継続期間の長さに応じて変化する代謝状態に対応して、代表的な４つのパターン（パターン１〜４）に分類できる。
【００９７】
パターン１は、図４の指数「１」のアセトン濃度の推移パターンに相当し、パターン２は、図４の指数「２」のアセトン濃度の推移パターンに相当し、パターン３は、図４の指数「３」のアセトン濃度の推移パターンに相当し、パターン４は、図４の指数「４」のアセトン濃度の推移パターンに相当する。
【００９８】
体重減少が起き始めるアセトン濃度の推移パターンは個人差や運動プログラム（運動強度、運動時間、運動負荷、運動時の身体活動量などの運動内容）によって変化するので一概に示すことはできないが、運動習慣がある人および運動継続した人のアセトン濃度の推移パターンはパターン４に分類されるので、使用者のアセトン濃度測定用の運動中及びその前後を含む測定期間において測定された使用者のアセトン濃度の遷移がパターン４に分類される場合には、代謝状態が改善したと判断する。
【００９９】
１−５．アセトン濃度測定用の運動
評価の対象となるアセトン濃度を測定する際には、使用者はアセトン濃度測定用の運動を行う。すなわち、減量支援システム１は、使用者のアセトン濃度測定用の運動中及びその前後の期間を含む測定期間の使用者のアセトン濃度を測定する。アセトン濃度測定方法は、例えば表面プラズモン共鳴を利用したセンサーを用いて、呼気、皮膚ガス中のアセトンを計測してもよい。アセトン測定は毎日行う必要はなく、例えば、１カ月ごとに行ってもよい。運動強度や運動時間によってアセトン濃度の推移が変化するので、アセトン濃度測定用の運動は、アセトン濃度測定専用の運動プログラムを用いる。そして減量支援システム１は、アセトン濃度測定用の運動に際して測定したアセトン濃度を機器の記憶部に蓄積し、必要に応じて（端末とサーバー装置を通信ネットワークで接続して減量支援システムを実現する場合）、サーバー装置に送信して管理してもよい。
【０１００】
１−６．運動強度
図６は、運動強度（横軸）と脈拍６１０の脂肪燃焼に適したゾーン６２０の関係を示す図（図６記載のＵＲＬで提供されている画像の一部を引用）である。図６に示すように、脂肪燃焼に最適な運動強度があり、脈拍で管理することができる。すなわち運動強度を使用者の運動時の脈拍で判定する場合には、使用者の脈拍が、脂肪燃焼に適したゾーン６２０の脈拍６３０の範囲内であれば、適正な運動強度であると判断することができる。適切な運動強度の指示は、脈拍数の指示や、具体的な運動メニュー（ランニングなど）の指示などでおこなってもよい。
【０１０１】
脂肪燃焼に適した運動強度（ゾーン６２０の脈拍６３０）は、最大心拍数(拍/分)ＨＲmax（＝２２０−年齢）の５０％〜７０％と言われており、脈拍数は約１２０（基準値の一例）が相当である。
【０１０２】
減量目的の運動時の脈拍数が１２０を下回る場合、脈拍数が適正値になるような運動強度の運動を指示する。この運動強度の基準値との比較は、アセトン濃度の計測時（アセトン計測用運動時）ではなく減量目的の運動時の脈拍数で行う。
【０１０３】
１−７．食事カロリーの解析
減量支援システム１は、図９（Ａ）（Ｂ）に示す統計データと使用者の個人データを用いて、使用者の基礎代謝と１日の必要カロリーを算出する。
【０１０４】
式（１）〜（４）に必要な使用者の個人データ（年齢、性別、体重など）は減量プログラム開始時に減量支援システム１に対して使用者が入力したデータを用いる。
【０１０５】
図９（Ａ）に、年齢階級別にみた基礎代謝基準値表（男女別）を示す。同図には、各年齢階級に応じた男女別の基礎代謝基準値が示されている。基礎代謝は以下の式で求めることができる。
【０１０６】
基礎代謝（kcal/日）＝基礎代謝基準値（kcal/kg/日）×体重（kg）      （式１）
図９（Ｂ）には、年齢階級別にみた身体活動レベルの群分け表（男女共通）を示してある。身体活動レベル（physical activity level：PAL）とは、食事誘発性体熱産生の影響も受けるが、主に身体活動量の指標であり、二重標識水法（doubly labeled water method）で測定された総エネルギー消費量を基礎代謝量で除した指標と定義される。1日の必要カロリーは以下の式で求めることができる。
【０１０７】
1日の必要カロリー（kcal/日）
＝基礎代謝（kcal/日）×身体活動レベルの指数（式２）
従って、（式１）を用いて計算すると、年齢４０歳の体重が７０ｋｇの男性の場合の基礎代謝は以下のようになる。
【０１０８】
２２．３(kcal/kg/日)×７０(kg)＝１５６１(kcal/日)1日の必要カロリー（kcal/日）また、（式２）を用いて計算すると、年齢４０歳の体重が７０ｋｇの男性の場合の1日の必要カロリーは以下のようになる。
【０１０９】
１．５６１（kcal）×１．７５＝２，７３２（kcal/日）
このようにして求めた1日の必要カロリーと使用者の実際の摂取カロリーを比較して、使用者の摂取カロリーが適切か判断してもよい。
【０１１０】
減量支援システム１は何らかの形式で使用者の食事データを取得して、当該食事データに基づいて使用者の実際の摂取カロリーを求めてもよい。例えば使用者に日々の食事内容を入力させるようにしてもよい。また例えば使用者に日々の食事画像を入力してもらい、食事画像から使用者が摂取したカロリーを分析するようにしてもよい。
【０１１１】
なお減量支援システム１は使用者の食事データを使用しない構成で実現することも可能である。この場合には、減量支援システム１が算出した使用者の１日の必要カロリーに見合った食事を使用者に通知して、かかる食事をとることを推奨するアドバイスを行うようにしてもよい。
【０１１２】
１−８．減量支援システムの処理
図７は、本実施形態に係る減量支援システム１の処理の流れの一例を示すフローチャートである。なお、本実施形態における減量支援システム１の動作は、図７に示される全ての工程が必須となるわけではない。また、動作に支障がない範囲で、複数の工程を並列して行ってもよい。
【０１１３】
減量支援システム１では、アセトン濃度測定用の運動の測定期間におけるアセトン濃度を測定して、使用者情報に関連付けて記憶部に記憶させる（ステップＳ１０）。例えば減量支援システム１の減量支援端末（図１０参照）によりアセトン濃度を測定して、減量支援サーバーに送信して減量支援サーバーが記憶に記憶させてもよい。
【０１１４】
減量支援システム１の評価部は、アセトン濃度測定用の運動の開始から終了後の所定時間に得られるアセトン濃度の推移パターンがパターン４に該当するか判定する（ステップＳ２０）。パターン４に該当しない場合には（ステップＳ３０でＮ）、体重減少が起きる体質になっていないと判断し、減量目的の運動継続を指示する（ステップＳ４０）。
【０１１５】
パターン４に該当する場合には（ステップＳ３０でＹ）、使用者情報として記憶されている体重に基づき前記使用者に体重減少があるか否か判断する（ステップＳ５０）。体重減少があると判断した場合には（ステップＳ６０でＹ）、代謝改善による減量成功を知らせる出力を行う（ステップＳ７０）。このようにアセトン濃度の推移パターンがパターン４に該当し、かつ体重減少が認められる場合には、代謝改善によって、運動による体重減少に成功したと判断する。この代謝状態を維持するため、運動継続指示をしてもよい。また、減量支援システム１に使用者の目標体重を登録させ、目標体重に達していなければ運動継続を指示してもよい。
【０１１６】
体重減少がないと判断した場合には（ステップＳ６０でＮ）、使用者情報として記憶されている運動強度情報に基づき使用者が減量対策のために行っている運動の強度が適切かを判断する処理を行う（ステップＳ８０）。運動強度が適切でない場合（ステップＳ９０でＮ）、運動内容の改善を指示する出力を行う（ステップＳ１００）。例えば減量目的の
運動中に測定した使用者の脈拍（使用者情報として記憶されている運動強度情報の一例）が所定の基準以下である場合等のように、運動強度が脂肪燃焼に適したゾーンから外れていると判断できる場合には日々の運動の強度の改善を指示する。
【０１１７】
運動強度が適切である場合（ステップＳ９０でＹ）、使用者情報として記憶されている摂取カロリー情報に基づき前記使用者の摂取カロリーの適切性を判断する処理を行う（ステップＳ１１０）。摂取カロリーが適切でなければ（ステップＳ１２０でＮ）、摂取カロリーの改善を指示する出力を行う（ステップＳ１３０）。例えば使用者に日々の食事内容を入力させ、入力情報に基づき、使用者が日々摂取しているカロリーを演算する。そして使用者の属性情報（体重や性別や活動レベル）により使用者の１日あたりの適正摂取カロリーを演算し、摂取カロリー＞適正摂取カロリーであれば、摂取カロリーが適切でないと判断することができる。摂取カロリーが適切であれば（ステップＳ１２０でＹ）、運動継続を指示する出力を行う（ステップＳ１４０）。
【０１１８】
なお使用者の体質等によっては、アセトン濃度の推移パターンがパターン３の場合でも体重減少がみられる場合がある。本実施の形態では、かかる場合にも対応可能である。すなわち、ステップＳ２０において、減量支援システム１の評価部は、アセトン測定用の運動の開始から終了後の所定時間に得られるアセトン濃度の推移パターンがパターン４又はパターン３に該当するか判定する。そしてパターン４及びパターン３のいずれにも該当しない場合（ステップＳ３０でＮ）には、体重減少が起きる体質になっていないと判断し、ステップＳ４０において、減量目的の運動継続を指示してもよい。またパターン４又はパターン３のいずれかに該当する場合には（ステップＳ３０でＹ）、ステップＳ５０以降の処理を行うようにしてもよい。
【０１１９】
このようにすると、使用者の体質により代謝改善と体重減少の時期が一般的なパターンと異なる場合にも対応可能な減量支援システムを提供することができる。
【０１２０】
また使用者の体質等によっては、アセトン濃度の推移パターンがパターン４になってもすぐには体重減少が起きない場合がある。本実施の形態では、かかる場合にも対応可能である。
【０１２１】
図８は、アセトン濃度の推移パターンがパターン４になってもすぐには体重減少が起きない場合にも対応可能な、減量支援システム１の処理の流れの変形例を示すフローチャートである。
【０１２２】
図８のステップＳ１０〜Ｓ７０、Ｓ８０〜Ｓ１４０は、図７と同様である。図８では，体重減少がないと判断した場合には（ステップＳ６０でＮ）、一定期間以上パターン４に該当していない場合には（ステップＳ７２でＮ）、運動継続を指示する出力を行う（ステップＳ７４）。アセトン濃度の推移パターンのパターン判別の結果を測定日時とともに記憶しておき、今回の測定日時から一定期間前までの判別結果を読み出して一定期間以上パターン４に該当しているか否かを判定することができる。
【０１２３】
一定期間以上パターン４に該当している場合には（ステップＳ７２でＹ）、ステップＳ８０以降の処理を行う。
【０１２４】
このようにすると、使用者の体質により代謝が改善してもすぐには体重減少が起きない場合にも対応可能な減量支援システムを提供することができる。
【０１２５】
１−９．減量支援端末の構成例
図１０は、減量支援端末３の構成例を示す図である。図１０に示されるように、減量支
援端末３は、腕時計型に構成することができる。このように構成することによって、使用者が携帯しやすくなる。また、減量支援端末３を皮膚に近い位置に装着できるので、皮膚ガス中に含まれるアセトン濃度の検出が容易となる。
【０１２６】
２．減量支援装置
図１１は、本実施形態に係る減量支援装置４の機能ブロック図である。なお、図１に示される構成と同様の構成には同一の符号を付し、詳細な説明を省略する。
【０１２７】
図１１に示されるように、減量支援装置４は、上述の減量支援システム１の機能を１つの装置で実現した構成である。減量支援装置４においても、減量支援システム１と同様の理由により、同様の効果を奏する。
【０１２８】
図１２は、減量支援装置４の構成例を示す図である。図１２に示されるように、減量支援装置４は、トレッドミルとして構成することができる。減量支援装置４としてはこれに限らず、例えば、エルゴメーターなどとして構成することもできる。
【０１２９】
３．アセトン濃度測定部の構成例
図１３は、アセトン濃度測定部２０の構成例の要部を模式的に示す断面図である。図１３に示される例では、アセトン濃度測定部２０は、表面増強ラマン散乱（ＳＥＲＳ）センサーである。
【０１３０】
図１３に示される例では、アセトン濃度測定部２０は、基板２０２と、金属粒子２０４と、を有している。
【０１３１】
基板２０２は、例えば、ガラス基板である。図示はしないが、基板２０２の下面には、金属層が設けられていてもよい。
【０１３２】
金属粒子２０４は、基板２０２上に設けられている。金属粒子２０４は、例えば複数設けられ、周期的に配置されていてもよい。金属粒子２０４の材質は、例えば、Ａｇ、Ａｕ、Ａｌ、Ｃｕ、Ｐｔ、およびそれらの合金等などである。金属粒子２０４には、標的物質となるアセトンが吸着される。吸着とは、物体の界面において、濃度が周囲よりも増加する現象のことをいい、具体的には、共有結合・配位結合による化学吸着のことをいう。
【０１３３】
金属粒子２０４に吸着している標的物質（アセトン）に入射光Ｌ１を照射すると、散乱光として、入射光Ｌ１と同じ波長を有するレイリー散乱光と、入射光Ｌ１とは異なる波長を有するラマン散乱光ＬRAM１と、が発生する。入射光Ｌ１のエネルギーとラマン散乱光ＬRAM１のエネルギーとの差は、標的物質（アセトン）の構造に応じた特有の振動エネルギーに対応している。そのため、ラマン散乱光ＬRAM１の波数（振動数）と、入射光Ｌ１の波数と、の差であるラマンシフトを求めることにより、標的物質を特定する（アセトンが吸着しているか否かを特定する）ことができる。
【０１３４】
金属粒子２０４は、入射光Ｌ１により表面プラズモン共鳴（ＳＰＲ）を生じる。具体的には、金属粒子２０４は、入射光Ｌ１により局在型プラズモン共鳴（ＬＳＰＲ）を生じる。ＬＳＰＲとは、光の波長以下の金属微細構造（金属粒子２０４）に光を入射させると、金属内に存在する自由電子が光の電場成分により集団的に振動し、外部に局在電場を誘起する現象である。この局在電場により、ラマン散乱光を増強することを、表面増強ラマン散乱（ＳＥＲＳ）といい、ＳＥＲＳによって増強されたラマン散乱光を、表面増強ラマン散乱光（ＳＥＲＳ光）という。すなわち、金属粒子２０４から放射されるラマン散乱光ＬRAM１は、ＳＥＲＳ光である。
【０１３５】
金属粒子２０４は、基板２０２上に、例えば、Ａｇを０．１Å／秒以上１Å／秒以下の成膜速度で１０ｎｍ程度成膜することにより形成される。このような成膜条件で成膜することにより、島状の金属粒子２０４を形成することができる。なお、金属粒子２０４の形成方法は、特に限定されず、電子線描画法や干渉露光法、ナノインプリント法を用いてもよい。
【０１３６】
このようなアセトン濃度測定部２０を用いることで、精度よくアセトンの濃度を測定できる。
【０１３７】
なお、アセトン濃度測定部２０は、上述の構成に限らず、例えば、半導体センサー、水晶振動子マイクロバランス（ＱＣＭ）センサーなど、種々の公知のアセトン濃度測定装置を採用できる。
【０１３８】
以上、本実施形態あるいは変形例について説明したが、本発明はこれら本実施形態あるいは変形例に限られるものではなく、その要旨を逸脱しない範囲において種々の態様で実施することが可能である。
【０１３９】
本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０１４０】
１…減量支援システム、２…減量支援サーバー、３…減量支援端末、４…減量支援装置、５…通信回線、１０…使用者情報取得部、２０…アセトン濃度測定部、３０…記憶部、５０…評価部、６０…出力部、１４０…入力部、２０２…基板、２０４…金属粒子、２１０…送信部、２２０…受信部、３１０…送信部、３２０…受信部
【図１】
2015204900.tif 000003
【図３】
2015204900.tif 000004
【図４】
2015204900.tif 000005
【図７】
2015204900.tif 000006
【図８】
2015204900.tif 000007
【図９】
2015204900.tif 000008
【図１０】
2015204900.tif 000009
【図１１】
2015204900.tif 000010
【図１２】
2015204900.tif 000011
【図１３】
2015204900.tif 000012
【図２】
2015204900.tif 000013
【図５】
2015204900.tif 000014
【図６】
2015204900.tif 000015